(57)【要約】      （修正有）【課題】シートの幅の剛性に応じてシートを押さえること。【解決手段】シート押さえ装置１０１は、シート排出部から排出されるシートの幅方向の両端部を押さえて下方に案内する１対のシート押さえユニット１０２Ｒ，１０２Ｌを備え、各押さえユニットは、シート排出部から排出されるシートの端部を下方に押さえる押さえ部材７０と、押さえ部材の上方に配置されて押さえ部材を２軸方向に回動自在に支持する支持機構１０３と、を備え、支持機構は、押さえ部材をシート排出方向に回動可能に、かつシート端部の接触によりシート端部から押さえ部材が離れるように上方に回動可能に支持している。押さえ部材は、排出されるシートの端部が押さえ部材と接触する位置に応じての上方に回動する角度が異なるようになっている。このため、幅が狭くて剛性の小さいシートであっても、自ずと、シートの剛性に応じて、シートを押さえることができる。【選択図】図２
2016030668.tif 000002
【特許請求の範囲】
【請求項１】
シート排出部から排出されるシートの幅方向の両端部を押さえて下方に案内する１対のシート押さえユニットを備え、
各々の前記シート押さえユニットは、
前記シート排出部から排出されるシートの幅方向の端部を下方に押さえる押さえ部材と、
前記押さえ部材の上方に配置されて該押さえ部材を互いに交差する２軸方向に回動可能に支持する支持機構と、を備え、
前記支持機構は、前記押さえ部材を、シート排出方向に回動可能に、かつシートの幅方向の端部の接触によりシートの幅方向の端部から前記押さえ部材が離れるように上方に回動可能に支持しており、排出されるシートの幅方向の端部が前記押さえ部材と接触する位置に応じて該押さえ部材の上方に回動する角度が異なる、
ことを特徴とするシート押さえ装置。
【請求項２】
前記押さえ部材は、前記シート押さえユニット同士の離れる方向において、下方に傾斜している傾斜縁を下端部に有している、
ことを特徴とする請求項１に記載のシート押さえ装置。
【請求項３】
前記支持機構は、
前記押さえ部材を前記シート排出方向に傾動可能に吊り下げる第１の吊り下げ手段と、
前記第１の吊り下げ手段を、前記押さえ部材の前記端部が所定の位置から上方に傾動できるように吊り下げる第２の吊り下げ手段と、
前記押さえ部材の前記端部が、前記所定の位置より下方に回動するのを規制する規制手段と、を備えた、
ことを特徴とする請求項１または請求項２に記載のシート押さえ装置。
【請求項４】
前記第１の吊り下げ手段は、前記シート排出方向に対して交差する向きで、前記押さえ部材と前記第２の吊り下げ手段とを回転自在に連結する連結軸を有し、
前記第２の吊り下げ手段は、前記連結軸に設けられた回動部材と、前記シート排出方向を向いて、前記回動部材を前記シート排出方向に対して交差する方向に回転自在に吊り下げる支持軸と、を有している、
ことを特徴とする請求項３に記載のシート押さえ装置。
【請求項５】
シートに画像を形成する画像形成部と、
前記画像形成部で画像を形成されて排出されるシート排出部と、
前記シート排出部から排出されたシートが積載されるシート積載手段と、
前記シート排出部から排出されたシートを前記シート積載手段に案内するシート押さえ装置と、を備え、
前記シート押さえ装置は、請求項１乃至４のいずれか１項に記載のシート押さえ装置である、
ことを特徴とする画像形成装置。
【発明の詳細な説明】
【技術分野】
【０００１】
本発明は、シートに画像を形成する画像形成装置と、画像形成装置の装置本体のシート排出部分に設けられて、そのシート排出部分から排出されるシートを下方に押さえるシート押さえ装置とに関する。
【背景技術】
【０００２】
従来、プリンタ、複写機、ファクシミリ等の画像形成装置は、シートに画像を形成した後、装置本体から排出して、トレイに積載するようになっている。この場合、シートの剛性が大きい場合と小さい場合とで（姿勢保持力が強い場合と弱い場合とで）、トレイに積載される状態が異なることがある。
【０００３】
そこで、従来、シートの剛性が変わっても、シートをトレイに良好に排出して積載できるようにしたシート押さえ装置を備えた画像形成装置がある（特許文献１）。このシート押さえ装置は、シートに接触する接触部材の持ち上げられる状態に応じてシートの剛性を検知し、この検知に応じて、シートを押さえる１対の押さえ部材のシート押さえ高さを調節して、シートをトレイに整合性良く積載できるようになっている。
【先行技術文献】
【特許文献】
【０００４】
【特許文献１】特開２００８−１４３６１６号公報
【発明の概要】
【発明が解決しようとする課題】
【０００５】
しかし、従来のシート押さえ装置は、接触部材と１対の押さえ部材との他に、シートの剛性の検知動作に応じて上下方向に回動する接触部材の動きを、１対の押さえ部材に伝達して１対の押さえ部材の高さ位置を調節する制御連動機構も必要である。このため、従来のシート押さえ装置は、接触部材がシートの剛性に応じて回動してから制御連動機構を介して押さえ部材のシート押さえ高さを変えるまでの間の各部の動作抵抗があるため、シートの剛性の検知精度が低いという問題があった。また、構成が複雑であるという問題もあった。
【０００６】
本発明は、簡単な構造で、シートの幅の剛性に応じてシートを押さえるシート押さえ装置と、画像形成装置とを提供することにある。
【課題を解決するための手段】
【０００７】
本発明のシート押さえ装置は、シート排出部から排出されるシートの幅方向の両端部を押さえて下方に案内する１対のシート押さえユニットを備え、各々の前記シート押さえユニットは、前記シート排出部から排出されるシートの幅方向の端部を下方に押さえる押さえ部材と、前記押さえ部材の上方に配置されて該押さえ部材を互いに交差する２軸方向に回動可能に支持する支持機構と、を備え、前記支持機構は、前記押さえ部材を、シート排出方向に回動可能に、かつシートの幅方向の端部の接触によりシートの幅方向の端部から前記押さえ部材が離れるように上方に回動可能に支持しており、排出されるシートの幅方向の端部が前記押さえ部材と接触する位置に応じて該押さえ部材の上方に回動する角度が異なる、ことを特徴としている。
【０００８】
本発明の画像形成装置は、シートに画像を形成する画像形成部と、前記画像形成部で画像を形成されて排出されるシート排出部と、前記シート排出部から排出されたシートが積載されるシート積載手段と、前記シート排出部から排出されたシートを前記シート積載手段に案内するシート押さえ装置と、を備え、前記シート押さえ装置は、上記のシート押さえ装置である、ことを特徴としている。
【発明の効果】
【０００９】
本発明のシート押さえ装置は、排出されるシートの幅方向の端部が押さえ部材と接触する位置に応じて、押さえ部材の上方に回動する角度が異なるので、幅が狭くて剛性の小さい小サイズシートであっても、シートの剛性に応じてシートを押さえることができる。また、シート詰まりも防止できること、構造が簡単であること等の効果も奏する。
【００１０】
本発明の画像形成装置は、シート詰まりを防止できるシート押さえ装置を備えているので、画像形成動作中にシート詰まりによる動作停止を防止して、画像形成効率を高めることができる。
【図面の簡単な説明】
【００１１】
【図１】本発明の実施形態の画像形成装置としての複写機のシート搬送方向に沿った断面図である。
【図２】図１において、矢印Ｄ方向から見た、本発明の実施形態のシート押さえ装置１０１の図である。
【図３】図２のＥ―Ｅ矢視断面図である。
【図４】図２の右側のシート押さえユニットの拡大図である。
【図５】図４のシート押さえユニットを左から見たシート押さえユニットの拡大図である。
【図６】図４のシート押さえユニットの斜視図である。
【図７】図４のシート押さえユニットの分解斜視図である。
【図８】図６のシート押さえユニットの背面図である。
【図９】小サイズシートの先端が押さえ部材に接触する直前のシート押さえ装置をシート排出方向の下流側から見た図である。
【図１０】図９のシート押さえ装置を左側から見た図である。
【図１１】小サイズシートによって押し上げられた押さえ部材と支持機構とを正面から見た図である。
【図１２】図１１のシート押さえ装置を左側から見たである。
【図１３】図１１の押さえ部材と支持機構とを斜め上方から見た図である。
【図１４】大サイズシートによって押し上げられた押さえ部材を正面から見た図である。
【図１５】図１４のシート押さえ装置を左側から見た図である。
【図１６】図１４の押さえ部材を斜め上方から見た図である。
【図１７】他の形態の規制部を示す図である。
【発明を実施するための形態】
【００１２】
以下、本発明の実施形態のシート押さえ装置とこのシート押さえ装置を装置本体に備えた画像形成装置と図に基づいて説明をする。なお、本実施形態で取り上げる数値は、参考数値であって、本発明を限定する数値ではない
【００１３】
（複写機１の構造）
図１は、本発明の実施形態の画像形成装置としての複写機のシート搬送方向に沿った断面図である。画像形成装置としての複写機１は、シートに画像を形成する装置本体１Ａと、装置本体１Ａに重ねられた、原稿の画像を読み取る画像読取装置６とを備えている。なお、画像形成装置には、複写機以外に、プリンタ、ファクシミリ等がある。このため、画像形成装置は、複写機に限定されるものではない。
【００１４】
装置本体１Ａは、シートＰを給送するシート給送部２と、シートＰに画像を形成する画像形成部３と、シートＰに画像を定着する定着部４と、画像が定着されたシートＰを排出する排出部５と、排出トレイ（シート積載手段）５２等を備えている。
【００１５】
シート給送部２は、装置本体１Ａの下部に設けられている。シート給送部２は、シートＰが積載されるカセット２０と、カセット２０に積載されたシートＰをピックアップするピックアップローラ２２と、ピックアップされたシートＰを分離給送する分離給送部２３等を備えている。また、シート給送部２は、装置本体１Ａの側方から、シートを手差しで供給できる手差し給送部２４も備えている。手差し給送部２４は、シートＰを積載する手差しトレイ２５と、手差しトレイ２５に積載されたシートを分離給送する分離給送部２６とを備えている。
【００１６】
画像形成部３は、シート給送部２の上方に設けられている。画像形成部３は、トナー像が形成される感光ドラム３１と、感光ドラム３１の表面を一様に帯電する帯電ローラ３２と、レーザ光を照射して感光ドラム３１に静電潜像を形成するレーザ照射装置３３とを備えている。さらに、画像形成部３は、感光ドラム３１上の静電潜像をトナー像として可視化する現像装置３４と、感光ドラム３１に当接して転写ニップＮを形成する転写ローラ３５等も備えている。
【００１７】
定着部４は、画像形成部３のシート搬送方向の下流側のシート搬送路に設けられている。排出部５は、定着部４の下流側に設けられている。排出部５は、シートＰを装置本体１Ａの内部から排出する排出ローラ２１及び排出ころ７７と、後述するシート押さえ装置１０１とを備えている。画像読取装置６は、装置本体１Ａの上部に重ねて設けられている。画像読取装置６は、原稿Ｄが載置される原稿載置部６１と、原稿載置部６１に載置された原稿の画像情報を読み取る読取スキャナ６２等を備えている。
【００１８】
（複写機１の動作）
シートの片面にトナー像を形成する場合の動作説明。
【００１９】
画像形成ジョブが開始されると、レーザ照射装置３３は、不図示のパソコン又は読取スキャナ６２から送信された原稿等の画像情報（画像情報信号）に応じて、感光ドラム３１の表面にレーザ光を照射する。これにより、帯電ローラ３２によって所定の極性電位に一様に帯電されている感光ドラム３１の表面が露光されて、感光ドラム３１の表面に静電潜像が形成される。感光ドラム３１に形成された静電潜像は、現像装置３４によって、現像されて、トナー像として可視化される。
【００２０】
上述のトナー像の形成動作に並行して、シート給送部２から１枚ずつ分離給送されたシートＰが、搬送ローラ対１０により搬送ローラ対１０の下流側のシート搬送路に設けられたレジストローラ対１１に搬送され、レジストローラ対１１で斜行が補正される。斜行が補正されたシートＰは、その後、所定のタイミングで転写ニップＮに搬送されて、可視化されたトナー像を転写ローラ３５によって転写される。なお、シートＰは、手差し用のトレイ２５を矢印Ｃ方向に開くと、手差し用のトレイ２５からも、供給することができる。
【００２１】
トナー像が転写されたシートＰは、転写ニップＮから定着部４に搬送されて、定着ユニット４０で加熱加圧されて、トナー像が画像として定着される。その後、画像が定着されたシートＰは、排出ローラ２１及び排出ころ７７によって排出トレイ５２に排出され、画像形成ジョブが終了する。
【００２２】
シートの両面にトナー像を形成する場合の動作説明。
【００２３】
一方の面にトナー像が転写されたシートＰは、搬送ローラ８１、反転ローラ対８２に搬送されて、後端が搬送路切替部材８３を抜けて、７ｍｍの位置（図示していないシート検知センサの通過時間から算出）まで搬送される。そして、反転ローラ対８２は、一旦、停止する。このとき、シートは、矢印Ａ方向に突出している。
【００２４】
その後、反転ローラ対８２は、逆回転して、シートＰを、装置本体１Ａ内に矢印Ｂ方向に引き込み、搬送路切替部材８３の案内によって、反転路７に送り込む。この間に、シートは、スイッチバック搬送されて、表裏反転されたことになる。
【００２５】
その後、シートＰは、反転路７を、両面搬送ローラ対８ａ，８ｂ，８ｃによって搬送されて、再びレジストローラ対１１、転写ニップＮ、定着部４を搬送されて、他方の面にもトナー像が転写され、排出部５によって、排出トレイ５２に排出される。
【００２６】
（シート押さえ装置）
図２は、図１において、矢印Ｄ方向から見た、本発明の実施形態のシート押さえ装置１０１の図である。図３は、図２のＥ―Ｅ矢視断面図である。図４は、図２の右側のシート押さえユニット１０２Ｒの拡大図である。
【００２７】
図１において、シート押さえ装置１０１は、排出ローラ２１及び排出ころ７７のシート排出方向Ｈの下流側近傍に設けられている。図１、図２において、シート押さえ装置１０１は、シート排出部としての排出ローラ２１及び排出ころ７７から排出されるシートを押さえて下方の排出トレイ５２に案内する１対のシート押さえユニット１０２Ｒ，１０２Ｌを備えている。１対のシート押さえユニット１０２Ｒ，１０２Ｌは、シート排出方向Ｈに対して対称の位置に配置されている。１対のシート押さえユニット１０２Ｒ，１０２Ｌは、シート排出方向に対して左右対称の構造をしている。このため、図２において、右側のシート押さえユニット１０２Ｒを主体に説明して、左側のシート押さえユニット１０２Ｌの説明は省略する。
【００２８】
図２乃至図４において、シート押さえユニット１０２Ｒは、排出ローラ２１及び排出ころ７７から排出されるシートの上面を押さえて、シートを下方の排出トレイ５２（図１）側に押さえ込む押さえ部材７０を備えている。また、シート押さえユニット１０２Ｒは、押さえ部材７０を、シート排出方向Ｈに傾動可能に、かつ押さえ部材７０の押さえユニット同士の対向する端部７０ａが所定の位置から上方に傾動できるように吊るす支持機構１０３を備えている。なお、所定の位置は後述する。また、矢印Ｊ，Ｑ方向は、シート排出方向Ｈに対して交差する方向でもある。
【００２９】
押さえ部材７０は、薄いモールド成型品である。押さえ部材７０は、排出されているシートによって、シート排出方向Ｈから上方に向く矢印ＨＵに持ち上げられるようになっている。押さえ部材７０は、シートが排出されて自由落下するとき、シートの後端を下方に押圧して、シートの落下を補助する役目をしている。これは、シートが排出トレイ５２（図１）に落下するとき、シートの後端が排出トレイ５２の立ち上がった後端壁５２ａに引掛かからないで、シート全体が排出トレイ５２に落下するようにするためである。因みに、最適なシート排出補助力を得るために、押さえ部材７０の重量は、２．５Ｇに設定されている。
【００３０】
さらに、押さえ部材７０は、押さえ部材７０の端部７０ａが所定の位置に位置している状態で、押さえユニット１０２Ｒ，１０２Ｌ同士の離れる方向Ｊにおいて、下方に傾斜している傾斜縁７０ｂを下端部に形成されている。このため、押さえ部材７０は、台形の板状に形成されている。傾斜縁７０ｂを形成したのは、排出されたシートのシート排出方向Ｈに対して交差する方向Ｊ，Ｑの幅サイズに応じて、排出されたシートと押さえ部材７０とのオーバーラップ量を変化させるためである。これは、オーバーラップ量を変化させることにより、排出されるシートの幅サイズ、および坪量によって押さえ部材７０が持ち上がる量を変化させるためである。
【００３１】
図４は、図２の右側のシート押さえユニット１０２Ｒの拡大図である。図５は、図４のシート押さえユニット１０２Ｒを左から見たシート押さえユニット１０２Ｒの拡大図である。図６は、図４のシート押さえユニット１０２Ｒの斜視図である。図７は、図４のシート押さえユニット１０２Ｒの分解斜視図である。図８は、図６のシート押さえユニット１０２Ｒの背面図である。
【００３２】
図４乃至図８において、支持機構１０３は、連結軸７３、保持部材（回動部材）７１、回動軸（支持軸）７２、フック片７５等で構成されている。
【００３３】
保持部材７１は、摺動性の高いポリアセタールなどのモールド成型摺動性材を用いた樹脂成型品である。さらに、保持部材７１には、下部に連結軸７３が設けられ、上部の両端に回動軸７２とフック片７５とが設けられている。
【００３４】
回動軸７２は、シート排出方向Ｈを向いて、装置本体１Ａに取付けた支持フレーム７４の貫通孔７４ａに回転自在に支持されている。そして、回動軸７２は、保持部材７１をシート排出方向Ｈに対して交差する方向Ｊ，Ｑに回転自在に吊り下げている。しかも、回動軸７２の位置は、押さえ部材７０と保持部材７１とが連結軸７３によって連結された状態においての重心Ｇ（図４）より、シート幅方向の外側（矢印Ｊ方向）に配置されている。
【００３５】
フック片７５（図８）は、上端部にフック７５ａを有し、フック７５ａが支持フレーム７４の支持部７４ｂに受け止められて、回動軸７２とで、連結軸７３を水平の状態にして、保持部材７１と押さえ部材７０とを吊り下げている。この場合、押さえ部材７０の傾斜縁７０ｂは、押さえユニット１０２Ｒ，１０２Ｌ同士の離れる方向Ｊにおいて、下方に傾斜している必要がある。フック片７５が支持フレーム７４に受け止められて、押さえ部材７０が図４の姿勢で吊り下がった状態にいるときの、押さえ部材７０の位置を所定の位置とする。フック片７５と支持フレーム７４は、押さえ部材７０の端部７０ａが、所定の位置より下方に回動するのを規制する規制部（規制手段）７６を構成している。
【００３６】
なお、規制部は、図１７に記載のように、回動軸７２に突設した突軸８４と突軸８４を受け止める支持フレーム７４の受け止め部７４ｃとで構成された規制部（規制手段）８５であってもよい。したがって、規制手段は、図４に示す規制部７６に限定されるものではない。
【００３７】
連結軸７３は、シートの幅方向Ｊ，Ｑを向いて、押さえ部材７０を保持部材７１に連結してシート排出方向Ｈに回転自在に吊り下げている。連結軸７３は、押さえ部材７０の連結片７０ｃと保持部材７１の連結片７１ａとのいずれか一方に固定され、他方に回転自在に設けられている。
【００３８】
以上の構成において、通常、押さえ部材７０は、回動軸７２と、支持フレーム７４に受け止められたフック片７５に、保持部材７１と連結軸７３とを介して吊り下げられている。このとき、図４に示すように、連結軸７３は水平になっている。そして、押さえ部材７０の傾斜縁７０ｂは、押さえユニット１０２Ｒ，１０２Ｌ同士の離れる方向Ｊにおいて、下方に傾斜している。
【００３９】
また、以上の構成において、連結片７０ｃ、連結軸７３、連結片７１ｃ等は、第１の吊り下げ手段を構成している。また、保持部材７１、回動軸７２等は、第２の吊り下げ手段を構成している。
【００４０】
図４において、押さえ部材７０は、回動軸７２を中心にして矢印Ｍ方向に回動するようになっている。矢印Ｍ方向は、シート排出方向Ｈとシート幅方向Ｊ，Ｑとに交差する方向であり、シートの上面から離れる方向である。また、押さえ部材７０は、連結軸７３を中心に図５において、シート排出方向Ｈから上方に向く矢印ＨＵ方向にも回動するようになっている。さらに、図４において、押さえ部材７０は、回動軸７２と連結軸７３とを中心にして、矢印Ｍ方向と矢印ＨＵ方向とに交差する矢印Ｎ方向にも回転するようになっている。すなわち、押さえ部材７０は、互いに交差する矢印Ｍ方向と矢印ＨＵ方向との２軸方向に同時に回動可能になっている。
【００４１】
図９は、小サイズシートＰ１の先端が押さえ部材７０に接触する直前のシート押さえ装置をシート排出方向の下流側から見た図である。図１０は、図９のシート押さえ装置を左側から見た図である。図１１は、小サイズシートＰ１によって押し上げられた押さえ部材７８と支持機構１０３とを正面から見た図である。図１２は図１１のシート押さえ装置を左側から見たである。図１３は、図１１の押さえ部材７８と支持機構１０３とを斜め上方から見た図である。
【００４２】
押さえ部材７０及び保持部材７１は、排出ローラ２１と排出ころ７７によりシート排出方向の下流側近傍に配置されている。押さえ部材７０は、排出されるシートの幅方向の端部の近くに、縦搬送されるＳＴＭＴサイズ（１４０ｍｍ×２１６ｍｍ）、Ａ５サイズ等の幅の狭い小サイズシートに必ず接触する位置に配置されている。なお、縦搬送とは、シートの短辺を先頭にしてシートを搬送することをいう。シート押さえユニット１０２Ｒ，１０２Ｌは１対備えられているので、１対の押さえ部材７０がシートの幅方向の両端部を押さえるようになっている。
【００４３】
押さえ部材７０は、小サイズシートＰ１が排出されるとき、小サイズのシートに押し除けられて、図１１に示すように、矢印Ｍ方向へ回動する。このとき、小サイズシートＰ１が、押さえ部材７０を押し退ける力は、シートが押さえ部材７０を矢印ＨＵ方向へ回動させる力より小さくなっている。しかも、押さえ部材７０は、シート排出方向Ｈに対して対称の位置に１対配置されている。このため、小サイズのシートは、シート排出方向の両側から均等に矢印Ｑ方向の力を１対の押さえ部材７０から受けて、斜行を防止される。このように、１対の押さえ部材７０は、排出ローラ２１及び排出ころ７７から排出されるシートの上面を押さえて、シートを下方の排出トレイ５２側に押さえ込む他に、排出される小サイズのシートの斜行を防止することもできるようになっている。
【００４４】
図１０に示すように、排出ローラ２１と排出ころ７７は、シートの幅サイズの大小に関係なく、シートを水平に排出しないで、斜め上方に向けて排出するようになっている。これは、排出トレイ５２（図１）に対して着地点を伸ばすためである。また、シートを斜め上方に向けて排出して、排出されるシートが先行シート又は排出トレイ５２に円滑に積載できるようにするためである。すなわち、排出されるシートと、排出トレイ５２又は排出された先行シートとの間には摩擦抵抗が発生する。摩擦抵抗は、排出されるシートの排出方向Ｈに抗して作用する。このため、摩擦力が大きくなると、排出されたシートの後端が排出ローラ２１と排出ころ７７とニップの直後に滞留し、後続シートが滞留した先行シートの後端に突入して詰まることがある。これを防ぐために、排出ローラ２１と排出ころ７７が、シートを斜め上方に排出するようになっている。
【００４５】
また、押さえ部材７０は、図５、図１０に示すようにシート排出方向Ｈに傾いている。この傾きは、押さえ部材７０と保持部材７１との間に設けられた不図示の回動規制部によって、図５、図１０の状態に、通常、維持されており、押さえ部材７０は、図５、図１０に示す位置より、右には回転できないようになっている。押さえ部材７０のシート排出方向Ｈの下流側への傾きと、シートが斜め上方に向けて排出されることとによって、シートの先端が押さえ部材７０に斜めに当接して、押さえ部材７０が矢印ＨＵ方向に容易に回動するようになっている。
【００４６】
小サイズシートが排出されるときの、シート押さえ装置１０１の動作を説明する。図９、図１０に示すように、小サイズシートＰ１は、排出ローラ２１と排出ころ７７のニップに沿って上向きに排出されて、シート排出方向Ｈの下流側に傾いているシート押え部材７０の傾斜縁７０ｂの符号Ｓで示す箇所に接触する。小サイズシートＰ１は、排出ローラ２１と排出ころ７７とによって、排出されるのにしたがって、シート押さえ部材７０をシート排出方向Ｈに押し除ける。
【００４７】
図９において、小サイズシートＰ１が押さえ部材７０の傾斜縁７０ｂに接触する箇所Ｓと回動軸７２との最短距離Ｌ２は、小サイズシートＰ１の接触する箇所Ｓと連結軸７３との最短距離Ｌ１の距離よりも大きく（Ｌ２＜Ｌ１）設定されている。
【００４８】
図１１乃至図１３において、支持機構１０３は、押さえ部材７０に小サイズシートＰ１が接触すると、押さえ部材７０が回動軸７２を中心として小さな回動力で矢印Ｍ方向に回動するように構成されている。このため、押さえ部材７０は、回動軸７２を中心として矢印Ｍ方向へ回動を開始し、同時に連結軸７３を中心とした矢印ＨＵ方向へ回動する。つまり、押さえ部材７０および保持部材７１は図１３の矢印Ｎ方向へ押し上げられる。このとき、排出されるシートの幅サイズに応じて距離Ｌ２が変化していき、矢印方向Ｍへの回動量も変化し、また、矢印Ｎ方向への回動量も変化する。すなわち、押さえ部材７０は、排出されるシートの幅方向の端部と接触する位置がシートの幅サイズに異なり、幅サイズに応じて上方に回動する角度が異なっている。
【００４９】
このように、幅が狭い小サイズのシートの場合、押さえ部材７０が矢印Ｎ方向に回転するため、小サイズシートに加わる押さえ部材７０と支持機構１０３との荷重は、小サイズシートの厚み方向と、シートの幅方向Ｑ方向とに分散されることになる。
【００５０】
したがって、シート押さえ装置１０１は、幅が狭くて剛性の小さい小サイズシートの厚み方向に加わる押さえ部材７０と支持機構１０３との荷重が小さいため、排出ローラ２１と排出ころ７７が排出する小サイズシートの排出を阻害することがない。よって、シート押さえ装置１０１は、簡単な構造で、シートの詰まりを防止して、小サイズシートを排出トレイ５２に円滑に案内することができる。
【００５１】
次に、Ａ３サイズの縦搬送や、Ａ４サイズの横搬送のような幅の広い大サイズシートＰ２が排出されるときの押さえ部材７０の動作を説明する。図１４は、大サイズシートＰ２によって押し上げられた押さえ部材７０を正面から見た図である。図１５は図１４のシート押さえ装置を左側から見た図である。図１６は、図１４の押さえ部材７０を斜め上方から見た図である。
【００５２】
大サイズシートＰ２は、押さえ部材７０の幅方向の全幅に線接触する。押さえ部材７０は、シート排出方向Ｈに対して直角に配置された（シート幅方向に配置された）連結軸７３を中心とした矢印ＨＵ方向へのみ回動する。このため、押さえ部材７０は、シート排出方向Ｈに対して水平に配置された回動軸７２を中心にした矢印Ｍ方向へ回動しないし、矢印Ｎ方向へも回動しない。
【００５３】
よって、シート押さえ装置１０１は、押さえ部材７０の荷重が、大サイズシートの厚み方向にのみ加わるようになっているので、排出ローラ２１と排出ころ７７が排出する大サイズシートの排出を阻害することがない。よって、シート押さえ装置１０１は、簡単な構造で、シートの詰まりを防止して、大サイズシートを排出トレイ５２に円滑に案内することができる。
【符号の説明】
【００５４】
１：複写機（画像形成装置）、１Ａ：複写機の装置本体、３：画像形成部、６：画像読取装置、２１：排出ローラ（シート排出部）、５２：排出トレイ（シート積載手段）、７０：押さえ部材、７０ｃ：連結片（第１の吊り下げ手段）、７１：保持部材（回動部材、第２の吊り下げ手段）、７１ｃ：連結片（第１の吊り下げ手段）、７２：回動軸（支持軸、第２の吊り下げ手段）、７３：連結軸（第１の吊り下げ手段）、７４：支持フレーム、７６、８５：規制部（規制手段）、７７：排出ころ（シート排出部）、１０１：シート押さえ装置、１０２Ｒ，１０２Ｌ：シート押さえユニット、１０３：支持機構、Ｐ：シート、Ｐ１：小サイズシート、Ｐ２：大サイズシート、Ｄ：原稿、Ｈ：シート排出方向。
【図１】
2016030668.tif 000003
【図２】
2016030668.tif 000004
【図３】
2016030668.tif 000005
【図４】
2016030668.tif 000006
【図５】
2016030668.tif 000007
【図６】
2016030668.tif 000008
【図７】
2016030668.tif 000009
【図８】
2016030668.tif 000010
【図９】
2016030668.tif 000011
【図１０】
2016030668.tif 000012
【図１１】
2016030668.tif 000013
【図１２】
2016030668.tif 000014
【図１３】
2016030668.tif 000015
【図１４】
2016030668.tif 000016
【図１５】
2016030668.tif 000017
【図１６】
2016030668.tif 000018
【図１７】
2016030668.tif 000019